(57)【要約】      （修正有）【課題】次回の保守作業開始時において乗場の側から確実に操作することができるエレベーターのかご上安全スイッチ装置を提供する。【解決手段】エレベーターのかご上安全スイッチ装置７は、エレベーターのかごの天井に設けられ、外部からの操作によりかごの動作の制御信号を送信するスイッチ体９と、スイッチ体９がかごの天井においてエレベーターの乗場の側に配置されたことを確認する確認体１６と、を備えた。当該構成を備えることにより、次回の保守作業開始時において乗場の側から確実にかご上安全スイッチ装置７を操作することができる。【選択図】図２
2018034977.tif 000002
【特許請求の範囲】
【請求項１】
エレベーターのかごの天井に設けられ、外部からの操作によりかごの動作の制御信号を送信するスイッチ体と、
前記スイッチ体が前記かごの天井において前記エレベーターの乗場の側に配置されたことを確認する確認体と、
を備えたエレベーターのかご上安全スイッチ装置。
【請求項２】
前記確認体は、前記スイッチ体が前記かごの天井において前記エレベーターの乗場の側に配置された際に前記スイッチ体に押されることにより前記スイッチ体が前記かごの天井において前記エレベーターの乗場の側に配置されたことを確認する確認スイッチである請求項１に記載のエレベーターのかご上安全スイッチ装置。
【請求項３】
前記スイッチ体は、
外部からの操作によりかごの動作の制御信号を送信するスイッチ群を備えた本体と、
前記かごの天井に設けられたスライドレールに沿って移動自在に設けられ、前記本体を収納し得るように設けられた収納ボックスと、
を備え、
前記確認スイッチは、前記収納ボックスが前記エレベーターの乗場の側に配置された際に前記収納ボックスに押されず、前記本体が前記収納ボックスに収納された状態で前記エレベーターの乗場の側に配置された際に前記本体に押されることにより前記スイッチ体が前記かごの天井において前記エレベーターの乗場の側に配置されたことを確認する請求項２に記載のエレベーターのかご上安全スイッチ装置。
【請求項４】
前記スイッチ体は、
前記本体に設けられ、閉じた状態においては前記スイッチ群を外部から遮蔽する位置に配置され、開いた状態においては前記スイッチ群を外部に露出させる位置に配置される蓋、
を備えた請求項３に記載のエレベーターのかご上安全スイッチ装置。
【請求項５】
前記スイッチ体は、
前記本体に対して第１位置と第２位置とに移動自在に設けられ、前記蓋を支持したカバー、
を備え、
前記スイッチ群は、
前記カバーが第１状態および第２状態の際に前記蓋が閉じている場合に外部から遮蔽される位置に配置され、外部からの操作により前記エレベーターの運転モードについての制御信号を送信する切替スイッチと、
前記カバーが第１状態および第２状態の際に前記蓋が閉じている場合に外部から遮蔽される位置に配置され、外部からの操作により前記かごに設けられたかごドアの動作についての制御信号を送信するドアスイッチと、
前記カバーが第１状態の際に前記蓋が閉じている場合に外部から遮蔽される位置に配置され、前記カバーが第２状態の際に前記蓋が閉じている場合に外部に露出する位置に配置され、外部からの操作により前記かごの昇降についての制御信号を送信するＲＵＮスイッチと、
を備えた請求項４に記載のエレベーターのかご上安全スイッチ装置。
【請求項６】
前記収納ボックスは、前記カバーが第２状態の際に前記本体を収納し得ないように設けられた請求項５に記載のエレベーターのかご上安全スイッチ装置。
【発明の詳細な説明】
【技術分野】
【０００１】
この発明は、エレベーターのかご上安全スイッチ装置に関する。
【背景技術】
【０００２】
特許文献１は、エレベーターのかご上安全スイッチ装置を開示する。エレベーターの保守作業開始時において、保守員は、乗場の側から当該かご上安全スイッチ装置を操作する。その結果、保守員は、安全にかごの天井に乗ることができる。
【先行技術文献】
【特許文献】
【０００３】
【特許文献１】特開２０１４−９０４８号公報
【発明の概要】
【発明が解決しようとする課題】
【０００４】
しかしながら、エレベーターの保守作業終了時において、保守員がかご上安全スイッチ装置を予め設定された位置に戻し忘れると、次回の保守作業開始時に乗場の側からかご上スイッチを操作することができない。
【０００５】
この発明は、上述の課題を解決するためになされた。この発明の目的は、次回の保守作業開始時において乗場の側から確実に操作することができるエレベーターのかご上安全スイッチ装置を提供することである。
【課題を解決するための手段】
【０００６】
この発明に係るエレベーターのかご上安全スイッチ装置は、エレベーターのかごの天井に設けられ、外部からの操作によりかごの動作の制御信号を送信するスイッチ体と、前記スイッチ体が前記かごの天井において前記エレベーターの乗場の側に配置されたことを確認する確認体と、を備えた。
【発明の効果】
【０００７】
この発明によれば、確認体は、スイッチ体がかごの天井において乗場の側に配置されたことを確認する。スイッチ体がかごの天井において乗場の側に配置されることを条件として、エレベーターは、自動復旧する。このため、次回の保守作業開始時において乗場の側から確実にかご上安全スイッチ装置を操作することができる。
【図面の簡単な説明】
【０００８】
【図１】この発明の実施の形態１におけるエレベーターのかご上安全スイッチ装置が適用されるエレベーターの構成図である。
【図２】この発明の実施の形態１におけるエレベーターのかご上安全スイッチ装置の正面図である。
【図３】この発明の実施の形態１におけるエレベーターのかご上安全スイッチ装置の正面図である。
【図４】この発明の実施の形態１におけるエレベーターのかご上安全スイッチ装置の正面図である。
【図５】この発明の実施の形態１におけるエレベーターのかご上安全スイッチ装置の正面図である。
【図６】この発明の実施の形態１におけるエレベーターのかご上安全スイッチ装置の正面図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１におけるエレベーターのかご上安全スイッチ装置が適用されるエレベーターの構成図である。
【００１１】
図１に示されるように、建築物は、複数の階を備える。建築物は、エレベーターを備える。
【００１２】
エレベーターの昇降路１は、建築物の各階を貫く。エレベーターの複数の乗場２の各々は、建築物の各階に設けられる。乗場２の各々は、昇降路１に対向する。エレベーターのかご３は、昇降路１の内部に設けられる。
【００１３】
複数の乗場ドア４の各々は、エレベーターのドアとして各階の乗場２の出入口に設けられる。かごドア５は、エレベーターのドアとしてかご３の出入口に設けられる。
【００１４】
スライドレール６は、かご３の天井に設けられる。例えば、スライドレール６は、かご３の上枠に設けられる。例えば、スライドレール６は、かごの一側においてかご３の前後方向を長手方向として配置される。
【００１５】
かご上安全スイッチ装置７は、スライドレール６の乗場２の側に設けられる。
【００１６】
例えば、制御装置８は、昇降路１の内部に設けられる。例えば、制御装置８は、エレベーターの図示されない機械室に設けられる。制御装置８は、エレベーター全体を制御し得るように設けられる。
【００１７】
エレベーターの保守作業時、保守員は、乗場２において乗場ドア４を開いてかご上安全スイッチ装置７を操作する。その結果、エレベーターの運転モードは、自動モードから手動モードに切り替わる。その後、作業員は、乗場２からかご３の天井に乗り込む。
【００１８】
その後、作業員は、かご上安全スイッチ装置７を操作する。その結果、かご上安全スイッチ装置７は、かごの動作の制御信号を送信する。制御装置８は、当該制御信号に基づいてかご３の動作を制御する。
【００１９】
次に、図２を用いて、かご上安全スイッチ装置７を説明する。
図２はこの発明の実施の形態１におけるエレベーターのかご上安全スイッチ装置の正面図である。
【００２０】
図２に示されるように、かご上安全スイッチ装置７は、スイッチ体９を備える。スイッチ体９は、本体１０と収納ボックス１１と蓋１２とカバー１３とを備える。
【００２１】
例えば、本体１０は、直方体状に形成される。本体１０は、ボタン群１４とスイッチ群１５とを備える。ボタン群１４は、本体１０の下部に設けられる。例えば、ボタン群１４は、ＵＰボタン１４ａとＤＮボタン１４ｂとである。ＵＰボタン１４ａは、ボタン群１４の上部のボタンである。ＤＮボタン１４ｂは、ボタン群１４の下部のボタンである。スイッチ群１５は、本体１０の上部に設けられる。例えば、スイッチ群１５は、切替スイッチ１５ａとドアスイッチ１５ｂとＲＵＮスイッチ１５ｃとである。切替スイッチ１５ａは、スイッチ群１５の上部のスイッチである。ドアスイッチ１５ｂは、スイッチ群１５の中央部のスイッチである。ＲＵＮスイッチ１５ｃは、スイッチ群１５の下部のスイッチである。
【００２２】
例えば、収納ボックス１１は、スライドレール６に沿って移動自在に設けられる。収納ボックス１１は、本体１０を収納し得るように設けられる。例えば、収納ボックス１１は、本体１０を包み込み得るように設けられる。
【００２３】
蓋１２は、開閉自在に設けられる。蓋１２は、閉じた状態においてはスイッチ群１５を外部から遮蔽する位置に配置される。蓋１２は、開いた状態においてはスイッチ群１５を外部に露出させる位置に配置される。
【００２４】
カバー１３は、本体１０に対して第１位置と第２位置とに移動自在に設けられる。カバー１３は、蓋１２を支持する。
【００２５】
図２に示されるように、かご上安全スイッチ装置７は、確認体１６を備える。例えば、確認体１６は、かご３の天井の乗場２の側に設けられる。例えば、確認体１６は、スライドレール６の乗場２の側に設けられる。例えば、確認体１６は、確認スイッチである。
【００２６】
次に、図３を用いて、保守作業開始時の手順を説明する。
図３はこの発明の実施の形態１におけるエレベーターのかご上安全スイッチ装置の正面図である。
【００２７】
図３に示されるように、保守員は、蓋１２を開く。その結果、切替スイッチ１５ａとドアスイッチ１５ｂとＲＵＮスイッチ１５ｃとは、外部に露出する。この状態において、保守員は、ＲＵＮスイッチ１５ｃを左側に倒れた状態から右側に倒れた状態に切り替える。保守員は、ドアスイッチ１５ｂ左側に倒れた状態から右側に倒れた状態に切り替える。保守員は、切替スイッチ１５ａを左側に倒れた状態から右側に倒れた状態に切り替える。その結果、かご３は、昇降し得ない設定となる。かごドア５は、開閉し得ない設定となる。エレベーターの運転モードは、自動モードから手動モードに切り替わる。その後、保守員は、乗場２からかご３の天井に乗る。
【００２８】
次に、図４を用いて、保守作業の手順の第１例を説明する。
図４はこの発明の実施の形態１におけるエレベーターのかご上安全スイッチ装置の正面図である。
【００２９】
図４に示されるように、保守員は、蓋１２を閉じる。その後、保守員は、カバー１３を第１状態から第２状態に移動させる。具体的には、保守員は、カバー１３を上方に移動させる。この際、切替スイッチ１５ａとドアスイッチ１５ｂとは、外部に露出しない。これに対し、ＲＵＮスイッチ１５ｃは、外部に露出する。その結果、ＲＵＮスイッチ１５ｃは、外部から操作され得る状態となる。
【００３０】
その後、保守員は、ＲＵＮスイッチ１５ｃを右側に倒れた状態から左側に倒れた状態に切り替える。その結果、かご３は昇降し得る設定となる。この状態において、保守員は、ＵＰボタン１４ａまたはＤＮボタン１４ｂを押す。例えば、ＵＰボタン１４ａが押されると、かご３は、上昇する。例えば、ＤＮボタン１４ｂが押されると、かご３は、下降する。
【００３１】
保守員は、保守作業を行う位置に応じて収納ボックス１１をスライドレール６に沿って移動させる。例えば、昇降路１の奥行方向の中央において保守作業が必要な場合、保守員は、収納ボックス１１をスライドレール６の中央まで移動させる。例えば、昇降路１の奥側において保守作業が必要な場合、保守員は、収納ボックス１１をスライドレール６の奥側まで移動させる。
【００３２】
次に、図５を用いて、保守作業の手順の第２例を説明する。
図５はこの発明の実施の形態１におけるエレベーターのかご上安全スイッチ装置の正面図である。
【００３３】
図５に示されるように、保守員は、蓋１２を閉じる。その後、保守員は、カバー１３を第１状態から第２状態に移動させる。具体的には、保守員は、カバー１３を上方に移動させる。この際、切替スイッチ１５ａとドアスイッチ１５ｂとは、外部に露出しない。これに対し、ＲＵＮスイッチ１５ｃは、外部に露出する。その結果、ＲＵＮスイッチ１５ｃは、外部から操作され得る状態となる。
【００３４】
その後、保守員は、ＲＵＮスイッチ１５ｃを右側に倒れた状態から左側に倒れた状態に切り替える。その結果、かご３は昇降し得る設定となる。この状態において、保守員は、ＵＰボタン１４ａまたはＤＮボタン１４ｂを押す。例えば、ＵＰボタン１４ａが押されると、かご３は、上昇する。例えば、ＤＮボタン１４ｂが押されると、かご３は、下降する。
【００３５】
保守員は、収納ボックス１１から本体１０を取り外す。その後、保守員は、本体１０をスライドレール６から離れた位置まで移動させる。例えば、昇降路１の幅方向の中央において保守作業が必要な場合、保守員は、本体１０をかご３の天井の幅方向における中央まで移動させる。その後、保守員は、図示されない取り付け金に本体１０を一時的に掛ける。
【００３６】
次に、図６を用いて、保守作業終了時の手順を説明する。
図６はこの発明の実施の形態１におけるエレベーターのかご上安全スイッチ装置の正面図である。
【００３７】
図６に示されるように、保守員は、カバー１３を第２状態から第１状態に移動させる。具体的には、保守員は、カバー１３を下方に移動させる。この状態において、保守員は、本体１０を収納ボックス１１に収納する。保守員は、収納ボックス１１をスライドレール６に沿って乗場２の側に移動させる。
【００３８】
この際、確認体１６の本体は、収納ボックス１１に接触する。確認体１６の接触子は、収納ボックス１１に押されない。確認体１６の接触子は、本体１０に乗場２の側に押される。接触子が乗場２の側に押されると、確認体１６は、スイッチ体９がかご３の天井において乗場２の側に配置されたことを確認する。この際、スイッチ体９は、確認信号を送信する。その後、保守員は、かご３の天井から乗場２に降りる。
【００３９】
その後、保守員は、蓋１２を開く。その結果、切替スイッチ１５ａとドアスイッチ１５ｂとＲＵＮスイッチ１５ｃとは、外部に露出する。この状態において、保守員は、ＲＵＮスイッチ１５ｃを右側に倒れた状態から左側に倒れた状態に切り替える。保守員は、ドアスイッチ１５ｂを右側に倒れた状態から左側に倒れた状態に切り替える。保守員は、切替スイッチ１５ａを右側に倒れた状態から左側に倒れた状態に切り替える。その結果、かご３は、昇降し得る設定となる。かごドア５は、開閉し得る設定となる。エレベーターの運転モードは、手動モードから自動モードに切り替わる。
【００４０】
図６においては図示されないが、エレベーターの運転モードが自動モードの際に確認体１６が確認信号を送信している場合、制御装置８は、エレベーターを自動復旧する。エレベーターの運転モードが自動モードの際に確認体１６が確認信号を送信していない場合、制御装置８は、エレベーターを自動復旧しない。
【００４１】
以上で説明した実施の形態１によれば、確認体１６は、スイッチ体９がかご３の天井において乗場２の側に配置されたことを確認する。スイッチ体９がかご３の天井において乗場２の側に配置されることを条件として、エレベーターは、自動復旧する。このため、次回の保守作業開始時において乗場の側から確実にかご上安全スイッチ装置を操作することができる。
【００４２】
また、確認体１６は、確認スイッチである。このため、簡単な構成でスイッチ体９がかご３の天井においてエレベーターの乗場２の側に配置されたことを確認できる。
【００４３】
また、確認スイッチは、収納ボックス１１が乗場２の側に配置された際に収納ボックス１１に押されない。確認スイッチは、本体１０が収納ボックス１１に収納された状態で乗場２の側に配置された際に本体１０に押される。このため、本体１０が収納ボックス１１に収納されていない状態で収納ボックス１１が乗場２の側に配置されても、確認信号は、送信されない。その結果、本体１０がかご３の天井においてエレベーターの乗場２の側に配置されたことをより確実に確認することができる。
【００４４】
また、蓋１２は、閉じた状態においてはスイッチ群１５を外部から遮蔽する位置に配置される。蓋１２は、開いた状態においてはスイッチ群１５を外部に露出させる位置に配置される。このため、エレベーターの通常運転時において昇降路１の内部からの落下物がスイッチ群１５に接触することを防止できる。その結果、エレベーターの故障を抑制することができる。例えば、エレベーターの非常停止を抑制することができる。例えば、かご３の内部における利用者の閉じ込めを抑制することができる。
【００４５】
また、ＲＵＮスイッチ１５ｃは、カバー１３が第２状態の際に蓋１２が閉じている場合に外部に露出する位置に配置される。このため、かご３の保守作業時においてかご３を昇降し得る状態に設定することができる。
【００４６】
なお、カバー１３が第２状態の際に本体１０を収納し得ないように収納ボックス１１を設けてもよい。この場合、ＲＵＮスイッチ１５ｃが外部に露出した状態で確認信号が送信されることを抑制できる。このため、エレベーターの通常運転時において昇降路１の内部からの落下物がＲＵＮスイッチ１５ｃに接触することを防止できる。
【００４７】
タグリーダとタグとを確認体１６としてもよい。この場合、かご３の天井の乗場２の側にタグリーダを配置すればよい。スイッチ体９にタグを設ければよい。この場合、タグリーダがタグを認識することによりスイッチ体９がかご３の天井において乗場２の側に配置されたことを確認すればよい。
【符号の説明】
【００４８】
１  昇降路、  ２  乗場、  ３  かご、  ４  乗場ドア、  ５  かごドア、  ６  スライドレール、  ７  かご上安全スイッチ装置、  ８  制御装置、  ９  スイッチ体、  １０  本体、  １１  収納ボックス、  １２  蓋、  １３  カバー、  １４  ボタン群、  １４ａ  ＵＰボタン、  １４ｂ  ＤＮボタン、  １５  スイッチ群、  １５ａ  切替スイッチ、  １５ｂ  ドアスイッチ、  １５ｃ  ＲＵＮスイッチ、  １６  確認体
【図１】
2018034977.tif 000003
【図２】
2018034977.tif 000004
【図３】
2018034977.tif 000005
【図４】
2018034977.tif 000006
【図５】
2018034977.tif 000007
【図６】
2018034977.tif 000008